(57)【要約】【課題】低コストでありながら、イベントの頻発する期間を容易に特定する。【解決手段】制御部４は、時間計測部６が所定時間Ｔｃの計測を停止しているときにイベントが検出されたときには、時間計測部６に対して所定時間の計測を開始させると共に計測開始時の時刻をイベント開始時刻Ｄｔｓとして取得し、所定時間の計測中にイベントが検出されたときには、所定時間の新たな計測を開始させると共に新たな計測開始時の時刻をイベント終了時刻Ｄｔｅとして更新しつつ取得し、所定時間の計測中にイベントが検出されず、かつイベント開始時刻およびイベント終了時刻を取得しているときには、イベント開始時刻、イベント終了時刻、およびイベント開始時刻からイベント終了時刻までの時間のうちの少なくとも２つをイベント情報として記録部７に記録させる。【選択図】図１
2006090869.tif 000002
【特許請求の範囲】
【請求項１】
入力信号についてのイベントの発生を検出するイベント検出部と、
時刻を測定する時刻測定部と、
所定時間を計測する時間計測部と、
前記時間計測部が前記所定時間の計測を停止しているときに前記イベント検出部によって前記イベントが検出されたときには、前記時間計測部に対して前記所定時間の計測を開始させると共に当該計測開始時の前記時刻をイベント開始時刻として前記時刻測定部から取得し、前記時間計測部による前記所定時間の計測中に前記イベント検出部によって前記イベントが検出されたときには、前記時間計測部に対して前記所定時間の新たな計測を開始させると共に当該新たな計測開始時の前記時刻をイベント終了時刻として更新しつつ取得し、当該時間計測部による当該所定時間の計測中に前記イベント検出部によって前記イベントが検出されず、かつ前記イベント開始時刻および前記イベント終了時刻を取得しているときには、当該イベント開始時刻、当該イベント終了時刻、および当該イベント開始時刻から当該イベント終了時刻までの時間のうちの少なくとも２つをイベント情報として記録部に記録させる制御部とを備えているイベント記録装置。
【請求項２】
入力信号についてのイベントの発生を検出するイベント検出部と、
時刻を測定する時刻測定部と、
所定時間を計測する時間計測部と、
前記時間計測部が前記所定時間の計測を停止しているときに前記イベント検出部によって前記イベントが検出されたときには、前記時間計測部に対して前記所定時間の計測を開始させると共に当該計測開始時の前記時刻をイベント開始時刻として前記時刻測定部から取得し、前記時間計測部による前記所定時間の計測中に前記イベント検出部によって前記イベントが検出されたときには、前記時間計測部に対して前記所定時間の新たな計測を開始させると共に当該新たな計測開始時の前記時刻をイベント終了時刻として更新しつつ取得し、当該時間計測部による当該所定時間の計測中に前記イベント検出部によって前記イベントが検出されず、かつ前記イベント開始時刻および前記イベント終了時刻を取得しているときには、当該所定時間の終了時点の前記時刻を前記時刻測定部から取得すると共に当該所定時間の終了時点の時刻で前記イベント終了時刻を更新して、前記イベント開始時刻、当該イベント終了時刻、および当該イベント開始時刻から当該イベント終了時刻までの時間のうちの少なくとも２つをイベント情報として記録部に記録させる制御部とを備えているイベント記録装置。
【請求項３】
前記時間計測部は、計測時間を任意に設定可能なタイマで構成されている請求項１または２記載のイベント記録装置。
【請求項４】
入力信号についてのイベントの発生を検出して検出信号を出力するイベント検出部と、
所定周期のタイミング信号を連続して出力する信号生成部と、
時刻を測定する時刻測定部と、
前記タイミング信号の１周期内における前記検出信号の出力の有無を連続して検出すると共に、イベント開始時刻を取得していない状態において前記タイミング信号における前記検出信号の出力を検出しない１周期の次の１周期内において当該検出信号の出力を検出したときには、当該検出信号の検出時または当該次の１周期の始期の前記時刻を前記イベント開始時刻として前記時刻測定部から取得し、前記イベント開始時刻を取得している状態において前記タイミング信号における前記検出信号の出力を検出した１周期または当該１周期の次の１周期において前記検出信号の出力を検出したときには、当該検出信号の検出時または当該次の１周期の終期の前記時刻をイベント終了時刻として更新しつつ取得し、前記イベント開始時刻および前記イベント終了時刻を取得している状態において前記タイミング信号における前記検出信号の出力を検出した１周期の次の１周期において前記検出信号の出力を検出しないときには、前記イベント開始時刻、前記イベント終了時刻、および当該イベント開始時刻から当該イベント終了時刻までの時間のうちの少なくとも２つをイベント情報として記録部に記憶させる制御部とを備えているイベント記録装置。
【請求項５】
入力信号についてのイベントの発生を検出して検出信号を出力するイベント検出部と、
所定周期のタイミング信号を連続して出力する信号生成部と、
時刻を測定する時刻測定部と、
前記タイミング信号の１周期内における前記検出信号の出力の有無を連続して検出すると共に、イベント開始時刻を取得していない状態において前記タイミング信号における前記検出信号の出力を検出しない１周期の次の１周期内において当該検出信号の出力を検出したときには、当該検出信号の検出時または当該次の１周期の始期の前記時刻を前記イベント開始時刻として前記時刻測定部から取得し、前記イベント開始時刻を取得している状態において前記タイミング信号における前記検出信号の出力を検出した１周期または当該１周期の次の１周期において前記検出信号の出力を検出したとき、および当該次の１周期において前記検出信号の出力を検出しないときには当該次の１周期後の所定の付加期間において前記検出信号の出力を検出したときのいずれかのときに、当該検出信号の検出時または当該次の１周期の終期の前記時刻をイベント終了時刻として更新しつつ取得し、前記イベント開始時刻および前記イベント終了時刻を取得している状態において前記タイミング信号における前記検出信号の出力を検出した１周期の次の１周期および当該次の１周期後の前記所定の付加期間において前記検出信号の出力を共に検出しないときには、前記イベント開始時刻、前記イベント終了時刻、および当該イベント開始時刻から当該イベント終了時刻までの時間のうちの少なくとも２つをイベント情報として記録部に記憶させる制御部とを備えているイベント記録装置。
【請求項６】
前記入力信号は、所定の波形パターンを所定周期で繰り返し、
前記信号生成部は、前記入力信号における前記所定の波形パターンに同期して前記タイミング信号を生成する請求項４または５記載のイベント記録装置。
【請求項７】
前記制御部は、前記イベント開始時刻から当該イベント終了時刻までの間に発生した前記イベントについての電気的パラメータのうちの代表的な電気的パラメータを前記イベント情報に含めて前記記録部に記録させる請求項１から６のいずれかに記載のイベント記録装置。
【請求項８】
前記制御部は、前記イベント開始時刻から前記イベント終了時刻までの間に発生した前記イベントの発生回数を前記イベント情報に含めて前記記録部に記録させる請求項１から７のいずれかに記載のイベント記録装置。
【発明の詳細な説明】
【技術分野】
【０００１】
本発明は、入力信号についてのイベント情報を記録するイベント記録装置に関するものである。
【背景技術】
【０００２】
この種のイベント記録装置として、特開平８−１４５７２８号公報に開示された信号波形記録装置が知られている。この信号波形記録装置は、Ａ／Ｄ変換器、信号比較器、制御部および外部記憶媒体インタフェースを備え、入力した電気信号に異常（イベント）が発生したときに、異常発生前後における電気信号についての波形情報を外部記憶媒体インタフェースを介して外部記憶媒体に記憶させる。具体的には、この信号波形記録装置では、入力した電気信号のレベルをＡ／Ｄ変換器がディジタルデータに変換し、信号比較器がこのディジタルデータを予め設定された異常電気信号波形判定用の信号レベルと比較する。この比較の結果、入力した電気信号のレベルが異常電気信号波形判定用の信号レベルを超えたときには、信号比較器が異常判定信号を制御部に出力し、制御部が異常判定信号の入力前後の前記電気信号についてのディジタルデータを波形情報として外部記憶媒体インタフェースを介して外部記憶媒体に記憶させる。この場合、制御部は、波形情報と共に異常判定信号の発生時刻（異常発生時刻）も外部記憶媒体に記憶させる。
【０００３】
このイベント記録装置では、制御部が、入力した電気信号にイベント（異常など）が発生する都度、異常発生時の前後の電気信号についての波形情報および異常発生時刻を外部記憶媒体に記録している。このため、外部記録媒体に記憶されている異常発生時刻をすべてサーチすることで、イベントが頻発した期間を特定することが可能となっている。したがって、複数の電気機器が例えば共通の電力線から電力の供給を受けつつ作動している状況下において、特定の電気機器に動作異常が頻発している場合、このイベント記録装置を用いてこの特定の電気機器に発生する動作異常をイベントとして記録させ、イベント記録装置によって記録された異常発生時刻に基づいて特定の電気機器に異常が頻発する期間を特定し、この異常の頻発する期間と作動期間とが一致する電気機器を捜すことにより、このような電気機器が存在するときには、この電気機器が作動時に発生するノイズに起因して特定の電気機器に異常が頻発していると判別することが可能となる。
【特許文献１】特開平８−１４５７２８号公報（第４−５頁）
【発明の開示】
【発明が解決しようとする課題】
【０００４】
ところが、従来のイベント記録装置には、以下の問題点がある。すなわち、このイベント記録装置では、制御部は、入力した電気信号に異常（イベント）が発生する都度、異常発生時の前後の電気信号についての波形情報および異常発生時刻を外部記憶媒体に記録している。このため、イベントが頻発した期間を特定するには外部記憶媒体に記録されている異常発生時刻をすべてサーチする必要があるため、イベントの頻発期間を特定するのに長時間を必要とするという問題点がある。また、異常（イベント）が発生する都度、異常発生時の前後の電気信号についての波形情報および異常発生時刻を外部記憶媒体に記憶させているため、大容量の外部記憶媒体が必要となる。したがって、一般的に大容量の外部記憶媒体が高価なことに起因して、装置コストが上昇しているという問題点も存在する。
【０００５】
本発明は、かかる問題点に鑑みてなされたものであり、低コストでありながら、イベントの頻発する期間を容易に特定し得るイベント記録装置を提供することを主目的とする。
【課題を解決するための手段】
【０００６】
上記目的を達成すべく請求項１記載のイベント記録装置は、入力信号についてのイベントの発生を検出するイベント検出部と、時刻を測定する時刻測定部と、所定時間を計測する時間計測部と、前記時間計測部が前記所定時間の計測を停止しているときに前記イベント検出部によって前記イベントが検出されたときには、前記時間計測部に対して前記所定時間の計測を開始させると共に当該計測開始時の前記時刻をイベント開始時刻として前記時刻測定部から取得し、前記時間計測部による前記所定時間の計測中に前記イベント検出部によって前記イベントが検出されたときには、前記時間計測部に対して前記所定時間の新たな計測を開始させると共に当該新たな計測開始時の前記時刻をイベント終了時刻として更新しつつ取得し、当該時間計測部による当該所定時間の計測中に前記イベント検出部によって前記イベントが検出されず、かつ前記イベント開始時刻および前記イベント終了時刻を取得しているときには、当該イベント開始時刻、当該イベント終了時刻、および当該イベント開始時刻から当該イベント終了時刻までの時間のうちの少なくとも２つをイベント情報として記録部に記録させる制御部とを備えている。
【０００７】
また、請求項２記載のイベント記録装置は、入力信号についてのイベントの発生を検出するイベント検出部と、時刻を測定する時刻測定部と、所定時間を計測する時間計測部と、前記時間計測部が前記所定時間の計測を停止しているときに前記イベント検出部によって前記イベントが検出されたときには、前記時間計測部に対して前記所定時間の計測を開始させると共に当該計測開始時の前記時刻をイベント開始時刻として前記時刻測定部から取得し、前記時間計測部による前記所定時間の計測中に前記イベント検出部によって前記イベントが検出されたときには、前記時間計測部に対して前記所定時間の新たな計測を開始させると共に当該新たな計測開始時の前記時刻をイベント終了時刻として更新しつつ取得し、当該時間計測部による当該所定時間の計測中に前記イベント検出部によって前記イベントが検出されず、かつ前記イベント開始時刻および前記イベント終了時刻を取得しているときには、当該所定時間の終了時点の前記時刻を前記時刻測定部から取得すると共に当該所定時間の終了時点の時刻で前記イベント終了時刻を更新して、前記イベント開始時刻、当該イベント終了時刻、および当該イベント開始時刻から当該イベント終了時刻までの時間のうちの少なくとも２つをイベント情報として記録部に記録させる制御部とを備えている。
【０００８】
また、請求項３記載のイベント記録装置は、請求項１または２記載のイベント記録装置において、前記時間計測部は、計測時間を任意に設定可能なタイマで構成されている。
【０００９】
また、請求項４記載のイベント記録装置は、入力信号についてのイベントの発生を検出して検出信号を出力するイベント検出部と、所定周期のタイミング信号を連続して出力する信号生成部と、時刻を測定する時刻測定部と、前記タイミング信号の１周期内における前記検出信号の出力の有無を連続して検出すると共に、イベント開始時刻を取得していない状態において前記タイミング信号における前記検出信号の出力を検出しない１周期の次の１周期内において当該検出信号の出力を検出したときには、当該検出信号の検出時または当該次の１周期の始期の前記時刻を前記イベント開始時刻として前記時刻測定部から取得し、前記イベント開始時刻を取得している状態において前記タイミング信号における前記検出信号の出力を検出した１周期または当該１周期の次の１周期において前記検出信号の出力を検出したときには、当該検出信号の検出時または当該次の１周期の終期の前記時刻をイベント終了時刻として更新しつつ取得し、前記イベント開始時刻および前記イベント終了時刻を取得している状態において前記タイミング信号における前記検出信号の出力を検出した１周期の次の１周期において前記検出信号の出力を検出しないときには、前記イベント開始時刻、前記イベント終了時刻、および当該イベント開始時刻から当該イベント終了時刻までの時間のうちの少なくとも２つをイベント情報として記録部に記憶させる制御部とを備えている。
【００１０】
また、請求項５記載のイベント記録装置は、入力信号についてのイベントの発生を検出して検出信号を出力するイベント検出部と、所定周期のタイミング信号を連続して出力する信号生成部と、時刻を測定する時刻測定部と、前記タイミング信号の１周期内における前記検出信号の出力の有無を連続して検出すると共に、イベント開始時刻を取得していない状態において前記タイミング信号における前記検出信号の出力を検出しない１周期の次の１周期内において当該検出信号の出力を検出したときには、当該検出信号の検出時または当該次の１周期の始期の前記時刻を前記イベント開始時刻として前記時刻測定部から取得し、前記イベント開始時刻を取得している状態において前記タイミング信号における前記検出信号の出力を検出した１周期または当該１周期の次の１周期において前記検出信号の出力を検出したとき、および当該次の１周期において前記検出信号の出力を検出しないときには当該次の１周期後の所定の付加期間において前記検出信号の出力を検出したときのいずれかのときに、当該検出信号の検出時または当該次の１周期の終期の前記時刻をイベント終了時刻として更新しつつ取得し、前記イベント開始時刻および前記イベント終了時刻を取得している状態において前記タイミング信号における前記検出信号の出力を検出した１周期の次の１周期および当該次の１周期後の前記所定の付加期間において前記検出信号の出力を共に検出しないときには、前記イベント開始時刻、前記イベント終了時刻、および当該イベント開始時刻から当該イベント終了時刻までの時間のうちの少なくとも２つをイベント情報として記録部に記憶させる制御部とを備えている。
【００１１】
また、請求項６記載のイベント記録装置は、請求項４または５記載のイベント記録装置において、前記入力信号は、所定の波形パターンを所定周期で繰り返し、前記信号生成部は、前記入力信号における前記所定の波形パターンに同期して前記タイミング信号を生成する。
【００１２】
また、請求項７記載のイベント記録装置は、請求項１から６のいずれかに記載のイベント記録装置において、前記制御部は、前記イベント開始時刻から当該イベント終了時刻までの間に発生した前記イベントについての電気的パラメータのうちの代表的な電気的パラメータを前記イベント情報に含めて前記記録部に記録させる。
【００１３】
また、請求項８記載のイベント記録装置は、請求項１から７のいずれかに記載のイベント記録装置において、前記制御部は、前記イベント開始時刻から前記イベント終了時刻までの間に発生した前記イベントの発生回数を前記イベント情報に含めて前記記録部に記録させる。
【発明の効果】
【００１４】
請求項１記載のイベント記録装置では、制御部が、時間計測部による所定時間の計測が停止されているときにイベント検出部によってイベントが検出されたときには、時間計測部に対して所定時間の計測を開始させると共にこの計測開始時の時刻をイベント開始時刻として時刻測定部から取得し、時間計測部による所定時間の計測中にイベント検出部によってイベントが検出されたときには、時間計測部に対して所定時間の新たな計測を開始させると共にこの新たな計測開始時の時刻をイベント終了時刻として更新しつつ取得し、時間計測部による所定時間の計測中にイベント検出部によってイベントが検出されず、かつイベント開始時刻およびイベント終了時刻を取得しているときには、イベント開始時刻、イベント終了時刻、およびイベント開始時刻からイベント終了時刻までの時間のうちの少なくとも２つをイベント情報として記録部に記録させる。したがって、このイベント記録装置では、発生するすべてのイベントの発生時刻を記録する構成とは異なり、イベントの頻発期間を特定するためのイベント情報として、頻発期間の開始時刻であるイベント開始時刻、頻発期間の終了時刻であるイベント終了時刻、および頻発期間の長さを示す両時刻の時間差のうちの少なくとも２つを記録部に記録するだけでよい。このため、このイベント記録装置によれば、すべてのイベントについてのイベント情報を記録する従来のイベント記録装置と比較して、記録部に必要とされる記録容量を大幅に削減することができる。この結果、記録部のコストを低減できるため、装置コストも十分に低減することができる。また、このイベント記録装置によれば、記録部に記録されているイベント開始時刻、およびイベント終了時刻に基づいて、イベントの頻発期間を直ちに特定することができる。このため、従来のイベント記録装置とは異なり、外部記憶媒体に記録されているイベントの発生時刻をすべてサーチする作業を不要にできる結果、イベントの頻発期間を短時間で特定することができる。
【００１５】
また、請求項２記載のイベント記録装置によれば、上記のイベント装置と同様にして、すべてのイベントについてのイベント情報を記録する従来の構成と比較して、記録部の記録容量を大幅に削減することができ、かつイベントの頻発期間を直ちに特定することができる。
【００１６】
また、請求項３記載のイベント記録装置によれば、タイマで時間計測部を構成したことにより、所定時間を任意に設定することができる結果、頻発期間を特定するためのイベントの発生の頻度を任意に設定することができる。
【００１７】
また、請求項４記載のイベント記録装置では、制御部が、タイミング信号の１周期内における検出信号の出力の有無を連続して検出すると共に、イベント開始時刻を取得していない状態においてタイミング信号における検出信号の出力を検出しない１周期の次の１周期内において検出信号の出力を検出したときには、この検出信号の検出時または次の１周期の始期の時刻をイベント開始時刻として時刻測定部から取得し、イベント開始時刻を取得している状態においてタイミング信号における検出信号の出力を検出した１周期またはこの１周期の次の１周期において検出信号の出力を検出したときには、検出信号の検出時または次の１周期の終期の時刻をイベント終了時刻として更新しつつ取得し、イベント開始時刻およびイベント終了時刻を取得している状態においてタイミング信号における検出信号の出力を検出した１周期の次の１周期において検出信号の出力を検出しないときには、イベント開始時刻、イベント終了時刻、およびイベント開始時刻からイベント終了時刻までの時間のうちの少なくとも２つをイベント情報として記録部に記憶させる。したがって、このイベント記録装置では、発生するすべてのイベントの発生時刻を記録する構成とは異なり、イベントの頻発期間の１つを特定するためのイベント情報として、イベント開始時刻、イベント終了時刻および両時刻の時間差のうちの少なくとも２つを記録部に記録するだけでよい。このため、このイベント記録装置によれば、すべてのイベントについてのイベント情報を記録する従来のイベント記録装置と比較して、記録部に必要とされる記録容量を大幅に削減することができる。この結果、上記のイベント記録装置と同様にして、記録部のコストを低減できるため、装置コストも十分に低減することができる。また、このイベント記録装置によれば、記録部に記録されているイベント開始時刻、イベント終了時刻および両時刻の時間差のいずれか２つに基づいて、イベントの頻発期間を特定することができる。このため、従来のイベント記録装置とは異なり、外部記憶媒体に記録されているイベントの発生時刻をすべてサーチする作業を不要にできる結果、イベントの頻発期間を短時間で特定することができる。
【００１８】
また、請求項５記載のイベント記録装置では、イベント開始時刻を取得していない状態においてタイミング信号における検出信号の出力を検出しない１周期の次の１周期内において検出信号の出力を検出したときには、この検出信号の検出時またはこの次の１周期の始期の時刻をイベント開始時刻として時刻測定部から取得し、イベント開始時刻を取得している状態においてタイミング信号における検出信号の出力を検出した１周期またはこの１周期の次の１周期において検出信号の出力を検出したとき、およびこの次の１周期において検出信号の出力を検出しないときにはこの次の１周期後の所定の付加期間において検出信号の出力を検出したときのいずれかのときに、この検出信号の検出時またはこの次の１周期の終期の時刻をイベント終了時刻として更新しつつ取得することにより、頻発期間の途中の１周期においてノイズ信号が一時的に重畳されていないときなどにおいて、このノイズ信号が重畳されていないタイミング信号の１周期、この１周期の前のノイズ信号が重畳されているタイミング信号の１周期、およびこの１周期の後のノイズ信号が重畳されているタイミング信号の１周期を全体として１つの頻発期間として特定することができる。
【００１９】
また、請求項６記載のイベント記録装置によれば、信号生成部が入力信号における所定の波形パターンに同期してタイミング信号を生成することにより、タイミング信号を生成するための信号生成部を簡易に構成することができるため、装置コストを十分に低減することができる。
【００２０】
また、請求項７記載のイベント記録装置によれば、制御部が、イベント開始時刻からイベント終了時刻までの間に発生したイベントについての電気的パラメータのうちの代表的な電気的パラメータをイベント情報に含めて記録部に記録させることにより、記録部に記録された頻発期間において発生したピーク電圧値の最大値等を認識させることができる。したがって、このイベント記録装置を使用して、１つの電気機器に入力されるノイズ信号等の頻発期間を測定した際に、その頻発期間内に発生したノイズ信号の大きさなどから、頻発期間においてこの電気機器が受けたダメージなどを確認することができる。
【００２１】
また、請求項８記載のイベント記録装置では、制御部が、イベント開始時刻からイベント終了時刻までの間に発生したイベントの発生回数をイベント情報に含めて記録部に記録させることにより、記録部に記録された頻発期間において発生したノイズ信号等の回数を認識させることができる。したがって、このイベント記録装置を使用して、１つの電気機器に入力されるノイズ信号等の頻発期間を測定した際に、頻発期間に発生したノイズ信号等の回数からも、頻発期間においてこの電気機器が受けたダメージなどを確認することができる。
【発明を実施するための最良の形態】
【００２２】
以下、本発明に係るイベント記録装置の最良の形態について、添付図面を参照して説明する。
【００２３】
（第１の最良の形態）
最初に、イベント記録装置１の構成について、図面を参照して説明する。
【００２４】
イベント記録装置１は、図１に示すように、測定部２、イベント検出部３、制御部４、時刻測定部５、時間計測部６、記録部７および操作部８を備え、入力信号Ｓ１にイベントが頻発する期間（以下、「頻発期間」ともいう）Ｔｒを特定する。なお、本発明において「頻発する」とは、イベントが所定時間未満の間隔で連続して発生することをいう。
【００２５】
測定部２は、Ａ／Ｄ変換器を備えて構成され、入力信号Ｓ１を所定の周期で測定（サンプリング）することにより、入力信号Ｓ１の振幅（例えば電圧振幅）を示すディジタルデータＶｓを生成して出力する。イベント検出部３は、測定部２から出力されたディジタルデータＶｓを信号処理することにより、入力信号Ｓ１についてのイベントの発生を検出する。また、イベント検出部３は、イベントの発生を検出したときには、検出信号Ｓａを出力すると共にイベントについての電気的パラメータを測定して出力する。一例として、イベント検出部３は、ディジタルデータＶｓをハイパスフィルタ処理することにより、パルス状に変化した入力信号Ｓ１の波形の部位を抽出すると共に、抽出したパルス状の部位のピーク電圧値（波高値の絶対値）Ｖａを測定する。さらに、イベント検出部３は、検出したピーク電圧値Ｖａと予め設定された基準電圧値とを比較して、パルス状の部位のピーク電圧値Ｖａが基準電圧値を超えたときに、入力信号Ｓ１にイベントが発生したとして、入力信号Ｓ１におけるパルス状の変化に同期して検出信号Ｓａを出力すると共に、測定したピーク電圧値Ｖａをイベントについての電気的パラメータとして出力する。入力信号Ｓ１の波形の一部がパルス状に変化する例としては、入力信号Ｓ１を出力する電気機器への配電系統を切り替えたとき、およびこの配電系統に落雷による過大電流が流れたときなどに入力信号Ｓ１にサージ電圧が重畳する場合や、この配電系統に電力を供給する電源装置やこの配電系統に接続されている他の電気機器で発生したノイズ信号（例えばスイッチングノイズ）が入力信号Ｓ１に重畳する場合などが考えられる。なお、イベント検出部３に関しては、イベント発生の検出やその後の処理をディジタル信号処理で行う構成に限らず、イベントの発生をアナログフィルタなどで検出すると共にイベント検出後の処理をアナログまたはディジタル的に行う構成を採用することもできる。
【００２６】
制御部４は、時間計測部６による所定時間Ｔｃの計測動作を制御しつつ、イベント検出部３から出力された検出信号Ｓａおよびピーク電圧値Ｖａ、時刻測定部５から出力された時刻情報Ｄｔ、並びに時間計測部６から出力された終了信号Ｓｅに基づいて、入力信号Ｓ１にイベントが頻発する期間を特定するイベント記録処理を実行する。
【００２７】
時刻測定部５は、例えば、ＲＴＣ（Ｒｅａｌ  Ｔｉｍｅ  Ｃｌｏｃｋ）を用いて構成されて、現在の日付や時刻を示す時刻情報Ｄｔを制御部４に出力する。時間計測部６は、例えば、計測する時間を任意に設定可能なタイマ（いわゆるプログラマブルタイマ）で構成されている。また、時間計測部６では、計測する所定時間Ｔｃが制御部４によって設定される。また、時間計測部６は、制御部４から開始信号Ｓｓが出力されたときに所定時間Ｔｃの計測を開始すると共に、所定時間Ｔｃの計測を１回だけ実行し、この計測を終了したときに終了信号Ｓｅを制御部４に出力する。なお、時間計測部６は、所定時間Ｔｃの計測中に開始信号Ｓｓを入力したときには、それまでの計測値をリセットした後に所定時間Ｔｃの計測を最初からやり直す。
【００２８】
記録部７は、一例としてＲＡＭやリムーバブルメディア（メモリカード等）などで構成されて、イベントの頻発期間Ｔｒの始期であるイベント開始時刻Ｄｔｓ、およびイベントの頻発期間の終期であるイベント終了時刻Ｄｔｅをイベント情報として記憶する。また、記録部７は、頻発期間Ｔｒにおいて発生したイベントについての代表的な電気的パラメータとしてのピーク電圧値Ｖａの最大値Ｖａｍａｘ、およびイベントの発生回数（以下、「イベント発生回数」ともいう）Ｎをイベント情報に含めて記憶する。ここで、イベントについての代表的な電気的パラメータとは、パルス状波形が重畳した入力信号Ｓ１の絶対ピーク値の最大値や、パルス状波形自体の絶対値波高値の最大値などをいう。さらに、記録部７は、イベント発生前後における入力信号Ｓ１についての信号波形データも記憶する。操作部８は、数値入力キー、および各種操作キーを備え、所定時間Ｔｃ、およびイベント記録処理の開始／終了を指示する操作信号Ｓｉを制御部４に出力する。
【００２９】
次に、イベント記録装置１の動作について、図面を参照して説明する。一例として、商用交流電圧（周波数５０Ｈｚ、ＡＣ１００Ｖ）を入力信号Ｓ１とし、かつこの入力信号Ｓ１に基準電圧を超えるピーク電圧のノイズ信号が重畳したときをイベントの発生として、このようなノイズ信号が頻繁に重畳する（イベントが頻繁に発生する）頻発期間Ｔｒを特定する例について説明する。
【００３０】
まず、イベント記録装置１によるイベント記録処理の事前準備として、操作部８の数値入力キーを操作することで、所定時間Ｔｃを設定すると共に制御部４に出力する。制御部４は、入力した所定時間Ｔｃを時間計測部６に設定する。この例では、一例として、所定時間Ｔｃとして２０ｍｓ（入力信号Ｓ１の１周期）を設定する。以上により、イベント記録処理の事前準備が終了する。
【００３１】
入力信号Ｓ１の入力が開始された際には、このイベント記録装置１では、測定部２が入力信号Ｓ１を所定の周期（入力信号Ｓ１の１周期よりも十分に短い周期）でサンプリングすることにより、入力信号Ｓ１の振幅を示すディジタルデータＶｓを連続して生成してイベント検出部３に出力する。イベント検出部３は、入力したディジタルデータＶｓを信号処理することにより、入力信号Ｓ１に重畳しているノイズ信号を抽出し、さらにそのピーク電圧値Ｖａが基準電圧を超えるノイズ信号を検出する。このようなノイズ信号を検出したときには、イベント検出部３は、このノイズ信号の重畳を入力信号Ｓ１についてのイベントの発生として検出し、直ちに（ノイズ信号の検出に同期して）検出信号Ｓａおよびピーク電圧値Ｖａを制御部４に出力する。
【００３２】
次いで、操作部８のイベント記録開始／終了キーを操作することで、操作部８から制御部４に操作信号Ｓｉが出力される。この際に、制御部４は、イベント記録処理を開始する。以下、具体的に、図２に示すようなノイズ信号が重畳した入力信号Ｓ１を入力したときのイベント記録処理について説明する。この場合、入力信号Ｓ１には、ノイズ信号Ｓｎ１〜Ｓｎ１０（以下、特に区別しないときには「ノイズ信号Ｓｎ」ともいう）が時刻ｔ１〜ｔ１０において重畳し、かつ各ノイズ信号Ｓｎ１〜Ｓｎ１０の各ピーク電圧値Ｖａ１〜Ｖａ１０はすべて基準電圧を超える電圧であって、ピーク電圧値Ｖａ２が最大であるものとする。また、ノイズ信号Ｓｎ１〜Ｓｎ９は、所定時間Ｔｃよりも短い時間間隔で発生し、ノイズ信号Ｓｎ１０は、ノイズ信号Ｓｎ９の発生時刻ｔ９から所定時間Ｔｃ以上経過した時刻ｔ１０において発生するものとする。また、ノイズ信号Ｓｎ１０が発生した時刻ｔ１０から所定時間Ｔｃ以上経過した後に、次のノイズ信号（図示せず）が入力するものとする。
【００３３】
まず、制御部４は、イベント検出部３からの検出信号Ｓａの入力の有無を連続して検出する。この状態において、時刻ｔ１に達した時点で、測定部２は、入力信号Ｓ１と共にノイズ信号Ｓｎ１を入力し、入力信号Ｓ１およびノイズ信号Ｓｎ１についてのディジタルデータＶｓを出力する。イベント検出部３は、このディジタルデータＶｓに基づいてノイズ信号Ｓｎ１の重畳をイベントの発生として検出して、検出信号Ｓａおよびノイズ信号Ｓｎ１のピーク電圧値Ｖａ１を制御部４に出力する。制御部４は、検出信号Ｓａの入力を検出（以下、「検出信号Ｓａを入力」ともいう）したときに、最大値Ｖａｍａｘが内部メモリに既に記憶されているときには、既に記憶されている最大値Ｖａｍａｘと新たに入力したピーク電圧値Ｖａとを比較して、いずれか大きい方を最大値Ｖａｍａｘとして更新記憶する。この場合、ノイズ信号Ｓｎ１のピーク電圧値Ｖａ１は、最初のピーク電圧値Ｖａのため、最大値Ｖａｍａｘとして記憶される。また、検出信号Ｓａを入力したときに、制御部４は、時間計測部６が所定時間Ｔｃの計測を停止しているときには、計測を開始させる。この場合、ノイズ信号Ｓｎ１は最初のノイズ信号（直前のノイズ信号から所定時間Ｔｃ以上経過した後の最初の信号）のため、ノイズ信号Ｓｎ１の入力時点（時刻ｔ１）では、時間計測部６が所定時間Ｔｃの計測を停止している。したがって、制御部４は、時間計測部６に開始信号Ｓｓを出力して、所定時間Ｔｃについての最初の計測動作Ａ１（図２参照）を開始させる。また、制御部４は、その後、直ちに、時間計測部６による所定時間Ｔｃの計測開始時刻（イベントの検出時刻）としての時刻情報Ｄｔ（＝時刻ｔ１）を時刻測定部５から取得して、この時刻情報Ｄｔを頻発期間Ｔｒの始期を示すイベント開始時刻Ｄｔｓ（＝時刻ｔ１）として内部メモリに記憶する。また、制御部４は、イベント開始時刻Ｄｔｓを記憶したときには、このイベント開始時刻Ｄｔｓ（＝時刻ｔ１）に入力した検出信号Ｓａを１回目の検出信号Ｓａとして、検出信号Ｓａの入力回数をカウントし、この入力回数をイベント発生回数Ｎとして内部メモリに記憶する。なお、制御部４による上記の各動作は、ほぼ同時に行われるが、全く同時に行われはしない。しかしながら、説明の理解を容易にするために、各動作は同じ時刻ｔ１において行われたものとする。以下の説明においても同様である。
【００３４】
次いで、時刻ｔ２に達した時点で、測定部２は、入力信号Ｓ１と共にノイズ信号Ｓｎ２を入力する。この場合、ノイズ信号Ｓｎ１を入力したときと同様にして、測定部２およびイベント検出部３が作動することにより、イベント検出部３は、ノイズ信号Ｓｎ２の重畳をイベントの発生として検出して、検出信号Ｓａおよびノイズ信号Ｓｎ２のピーク電圧値Ｖａ２を制御部４に出力する。制御部４は、検出信号Ｓａの入力を検出したときには、ピーク電圧値Ｖａ１よりもピーク電圧値Ｖａ２の方が大きいため、ピーク電圧値Ｖａ１に代えてピーク電圧値Ｖａ２を最大値Ｖａｍａｘとして内部メモリに更新記憶する。また、制御部４は、時間計測部６が所定時間Ｔｃの計測を開始しているか否かを判別する。この場合、ノイズ信号Ｓｎ２は最初のノイズ信号Ｓｎ１の発生時刻ｔ１から所定時間Ｔｃ経過する前に発生している。このため、ノイズ信号Ｓｎ２の発生時刻ｔ２では、時間計測部６は、所定時間Ｔｃについての最初の計測動作Ａ１の実行中である。この際には、制御部４は、時間計測部６に開始信号Ｓｓを出力することにより、時間計測部６に対して、計測中の時間をリセットさせて新たな所定時間Ｔｃの計測を開始させる（以下、単に、「新たな所定時間Ｔｃの計測を開始させる」ともいう）。これにより、時間計測部６は、図２に示すように、最初の計測動作Ａ１を中止し、所定時間Ｔｃについての２回目の計測動作Ａ２を開始する。また、２回目のノイズ信号Ｓｎ２の発生は最初の計測動作Ａ１の動作中のため、制御部４は、その後、直ちに、時間計測部６による２回目の所定時間Ｔｃの計測開始時刻としての時刻情報Ｄｔ（＝時刻ｔ２）を時刻測定部５から取得して、この時刻情報Ｄｔを頻発期間Ｔｒの終期を示すイベント終了時刻Ｄｔｅ（＝時刻ｔ２）として内部メモリに記憶する。このイベント終了時刻Ｄｔｅの記憶に際し、制御部４は、既にイベント終了時刻Ｄｔｅを記憶しているときには、既に記憶したイベント終了時刻Ｄｔｅを新たなイベント終了時刻Ｄｔｅで更新しつつ記憶する。また、制御部４は、イベント発生回数Ｎをインクリメントして内部メモリに更新記憶する。
【００３５】
以後、各ノイズ信号Ｓｎ３〜ノイズ信号Ｓｎ９は、直前のノイズ信号Ｓｎの発生から所定時間Ｔｃ経過する前にそれぞれ発生する。このため、時刻ｔ９に達した時点までは、制御部４は、上記したノイズ信号Ｓｎ２の入力のときと同様にして、検出信号Ｓａの入力を検出する都度、時間計測部６に新たな所定時間Ｔｃの計測を開始させる。これにより、時間計測部６は、図２に示すように、所定時間Ｔｃについての計測動作Ａ３，Ａ４，・・・，Ａ９を順次実行する。また、制御部４は、時間計測部６に対して新たな所定時間Ｔｃの計測を開始させる都度、各計測動作の計測開始時刻としての時刻情報Ｄｔを時刻測定部５から取得して、この時刻情報Ｄｔを頻発期間Ｔｒの終期を示すイベント終了時刻Ｄｔｅとして内部メモリに更新しつつ記憶する。これにより、内部メモリに記憶されたイベント終了時刻Ｄｔｅは、ｔ３，・・・，ｔ８，ｔ９と順次更新される。また、制御部４は、検出信号Ｓａの入力を検出する都度、検出信号Ｓａと共に入力するピーク電圧値Ｖａと、内部メモリに記憶されているピーク電圧値Ｖａとを比較し、大きい方を内部メモリに最大値Ｖａｍａｘとして更新記憶する。本例では、各ピーク電圧値Ｖａ１〜Ｖａ１０のうち、ピーク電圧値Ｖａ２が最大のため、ピーク電圧値Ｖａ２が最大値Ｖａｍａｘとして内部メモリに記憶されている。また、制御部４は、検出信号Ｓａを入力する都度、内部メモリに記憶しているイベント発生回数Ｎをインクリメントする。これにより、ノイズ信号Ｓｎ９を入力した後には、ノイズ信号Ｓｎ１〜ノイズ信号Ｓｎ９の発生回数と同じ「９」という数値がイベント発生回数Ｎとして記憶される。
【００３６】
時間計測部６による計測動作Ａ９が開始された後は、所定時間Ｔｃ以上経過しなければ、入力信号Ｓ１にはノイズ信号Ｓｎ１０が発生しない。このため、時刻ｔ９から所定時間Ｔｃ経過するまでに、制御部４に対してイベント検出部３から検出信号Ｓａが出力されず、したがって、制御部４は、時間計測部６に対して開始信号Ｓｓを出力しない。したがって、ノイズ信号Ｓｎ９の発生（時刻ｔ９）から所定時間Ｔｃを経過した時点で、時間計測部６は、所定時間Ｔｃの計測を終了（完了）し、終了信号Ｓｅを制御部４に出力する。制御部４は、終了信号Ｓｅの入力により、内部メモリに記憶しているイベント開始時刻Ｄｔｓ（＝ｔ１）、イベント終了時刻Ｄｔｅ（＝ｔ９）、ピーク電圧値Ｖａの最大値Ｖａｍａｘ（＝ピーク電圧値Ｖａ２）、およびイベント発生回数Ｎ（＝９）を記録部７に記憶させると共に、内部メモリに記憶しているイベント開始時刻Ｄｔｓ、イベント終了時刻Ｄｔｅ、ピーク電圧値Ｖａの最大値Ｖａｍａｘ、およびイベント発生回数Ｎ（＝９）を初期化（クリア）する。
【００３７】
その後、時刻ｔ１０に達した時点で、入力信号Ｓ１と共にノイズ信号Ｓｎ１０がイベント記録装置１に入力される。この場合、イベント記録装置１は、上記したノイズ信号Ｓｎ１を入力したときと同様にして、入力信号Ｓ１０を最初のノイズ信号とするイベント記録処理を開始する。したがって、内部メモリには、時間計測部６による所定時間Ｔｃの計測開始時刻としての時刻情報Ｄｔ（＝時刻ｔ１０）と、イベント発生回数Ｎ（＝１）とが記憶される。しかしながら、このノイズ信号Ｓｎ１０の入力から所定時間Ｔｃ以上経過した後に次のノイズ信号（図示せず）が入力されるため、時刻ｔ１０から所定時間Ｔｃ経過するまでの間には、イベント検出部３から検出信号Ｓａが制御部４に対して出力されない。したがって、制御部４は、時刻ｔ１０から所定時間Ｔｃが経過するまでの間には、時間計測部６に対して開始信号Ｓｓを出力しない。このため、ノイズ信号Ｓｎ１０の発生（時刻ｔ１０）から所定時間Ｔｃを経過した時点で、時間計測部６は、所定時間Ｔｃの計測を終了（完了）し、終了信号Ｓｅを制御部４に出力する。制御部４は、内部メモリにイベント開始時刻Ｄｔｓのみが記憶され、イベント終了時刻Ｄｔｅが記憶されていない状態で終了信号Ｓｅを入力したため、内部メモリに記憶したイベント開始時刻Ｄｔｓ、ピーク電圧値Ｖａ（＝ピーク電圧値Ｖａ１０）、およびイベント発生回数Ｎ（＝１）を記録部７に記憶させることなく、初期化する。次いで、制御部４は、再度、イベント検出部３からの検出信号Ｓａの入力の有無を連続して検出する動作に移行する。
【００３８】
その後、このイベント記録装置１では、入力信号Ｓ１と共にノイズ信号Ｓｎを入力する都度、制御部４が上記したイベント記録処理を繰り返し実行する。これにより、記録部７には、各頻発期間Ｔｒの始期を示すイベント開始時刻Ｄｔｓ、頻発期間Ｔｒの終期を示すイベント終了時刻Ｄｔｅ、各頻発期間Ｔｒにおけるイベント発生回数Ｎ、および各頻発期間Ｔｒにおけるピーク電圧値Ｖａの最大値Ｖａｍａｘのみが順次イベント情報として記憶される。したがって、記録部７に記憶されたイベント情報に基づき、入力信号Ｓ１に重畳したノイズ信号Ｓｎの頻発期間Ｔｒが容易に特定される。また、制御部４は、操作部８からの操作信号Ｓｉの入力の有無を連続して検出しており、操作部８からイベント記録終了を示す操作信号Ｓｉを入力したときには、このイベント記録処理を終了する。
【００３９】
このように、このイベント記録装置１では、制御部４が、時間計測部６による所定時間Ｔｃの計測が停止されているときにイベント検出部３によってノイズ信号Ｓｎの重畳（イベントの発生）が検出されたときには、時間計測部６に所定時間Ｔｃの計測を開始させると共にこの計測開始時の時刻をイベント開始時刻Ｄｔｓとして時刻測定部５から取得し、時間計測部６による所定時間Ｔｃの計測中にイベント検出部３によってノイズ信号Ｓｎの重畳が検出されたときには、時間計測部６に対して所定時間Ｔｃの新たな計測を開始させると共にこの新たな計測開始時の時刻をイベント終了時刻Ｄｔｅとして更新しつつ取得し、時間計測部６による所定時間Ｔｃの計測中にイベント検出部３によってノイズ信号Ｓｎの重畳が検出されず、かつイベント開始時刻Ｄｔｓおよびイベント終了時刻Ｄｔｅを取得しているときには、イベント開始時刻Ｄｔｓ、イベント終了時刻Ｄｔｅ、およびイベント開始時刻Ｄｔｓからイベント終了時刻Ｄｔｅまでの時間のうちの少なくとも２つをイベント情報として記録部７に記録させる。したがって、このイベント記録装置１では、発生するすべてのイベント（本例ではノイズ信号の重畳）の発生時刻を記録する構成とは異なり、イベントの頻発期間Ｔｒを特定するためのイベント情報として、頻発期間Ｔｒの開始時刻であるイベント開始時刻Ｄｔｓ、頻発期間Ｔｒの終了時刻であるイベント終了時刻Ｄｔｅ、および頻発期間Ｔｒの長さを示す両時刻Ｄｔｓ，Ｄｔｅの時間差Ｄｔｄのうちの少なくとも２つを記録部７に記録するだけでよい。このため、このイベント記録装置１によれば、すべてのイベントについてのイベント情報を記録する従来のイベント記録装置と比較して、記録部７に必要とされる記録容量を大幅に削減することができる。この結果、記録部７のコストを低減できるため、装置コストも十分に低減することができる。また、このイベント記録装置１によれば、記録部７に記録されているイベント開始時刻Ｄｔｓ、およびイベント終了時刻Ｄｔｅに基づいて、イベントの頻発期間Ｔｒを直ちに特定することができる。このため、従来のイベント記録装置とは異なり、外部記憶媒体に記録されているイベントの発生時刻をすべてサーチする作業を不要にできる結果、イベントの頻発期間Ｔｒを短時間で特定することができる。
【００４０】
また、このイベント記録装置１によれば、タイマで時間計測部６を構成したことにより、所定時間Ｔｃを任意に設定することができる結果、頻発期間Ｔｒを特定するためのイベントの発生（ノイズ信号Ｓｎの重畳）の頻度を任意に設定することができる。
【００４１】
また、このイベント記録装置１によれば、イベント検出部３がピーク電圧値Ｖａを測定し、制御部４がイベント検出部３によって測定されたピーク電圧値Ｖａに基づいて頻発期間Ｔｒ内の各ピーク電圧値Ｖａのうちの最大値Ｖａｍａｘを検出し、この最大のピーク電圧値Ｖａをイベント情報に含ませて記録部７に記録することにより、記録部７に記録された頻発期間Ｔｒにおいて発生したピーク電圧値Ｖａの最大値Ｖａｍａｘを認識させることができる。したがって、イベント記録装置１を使用して、１つの電気機器に入力されるノイズ信号の頻発期間Ｔｒを測定した際に、頻発期間Ｔｒ内に発生したノイズ信号Ｓｎの大きさから、頻発期間Ｔｒにおいてこの電気機器が受けたダメージなどを確認することができる。
【００４２】
また、このイベント記録装置１によれば、制御部４が、頻発期間Ｔｒ内に入力信号Ｓ１に重畳したノイズ信号Ｓｎの回数を測定し、この測定した回数をイベント発生回数Ｎとしてイベント情報に含ませて記録部７に記録することにより、記録部７に記録された頻発期間Ｔｒにおいて発生したノイズ信号Ｓｎの回数を認識させることができる。したがって、イベント記録装置１を使用して、１つの電気機器に入力されるノイズ信号の頻発期間Ｔｒを測定した際に、頻発期間Ｔｒに発生したノイズ信号Ｓｎの回数からも、頻発期間Ｔｒにおいてこの電気機器が受けたダメージなどを確認することができる。
【００４３】
なお、本発明は、上記した構成に限定されない。例えば、上記の構成では、制御部４が、頻発期間Ｔｒを特定するイベント情報として、頻発期間Ｔｒの開始時刻であるイベント開始時刻Ｄｔｓ、および頻発期間Ｔｒの終了時刻であるイベント終了時刻Ｄｔｅを記録部７に記憶させているが、これらの時刻Ｄｔｓ，Ｄｔｅのいずれか一方と、両時刻Ｄｔｓ，Ｄｔｅの時間差Ｄｔｄとを記録部７に記憶させるようにすることもできる。また、上記構成では、時間計測部６における各計測動作の計測開始時刻としての時刻情報Ｄｔを時刻測定部５から取得して、この時刻情報Ｄｔを頻発期間Ｔｒの終期を示すイベント終了時刻Ｄｔｅとして内部メモリに更新しつつ記憶することにより、頻発期間Ｔｒの終期を各計測動作の計測開始時刻と一致させているが、時間計測部６の計測動作Ａ９中にイベント検出部３によってノイズ信号の重畳（イベントの発生）が検出されなかったときにおいて、両時刻Ｄｔｓ，Ｄｔｅを取得しているときには、計測動作Ａ９の終了時点の時刻（＝ｔ９＋Ｔｃ）を時刻測定部５から取得すると共に、この時刻（＝ｔ９＋Ｔｃ）を頻発期間Ｔｒの終期を示すイベント終了時刻Ｄｔｅとして内部メモリに更新しつつ記憶することもできる。この場合、制御部４が、時刻ｔ９と所定時間Ｔｃとからこの時刻（＝ｔ９＋Ｔｃ）を算出することもできる。この構成においても、すべてのイベントについてのイベント情報を記録する従来の構成と比較して、記録部７の記録容量を大幅に削減することができ、かつイベントの頻発期間Ｔｒを直ちに特定することができる。
【００４４】
また、イベント記録装置１では、所定時間Ｔｃを計測する時間計測部６を所定時間Ｔｃの計測満了前に開始信号Ｓｓを出力することにより、所定時間Ｔｃの計測動作を連続して実行させる構成について説明したが、図３に示すイベント記録装置１１のように、時間計測部６に代えて、１周期が所定時間Ｔｃのタイミング信号Ｓｔを連続して生成する信号生成部１６を備えた構成にすることもできる。以下、このイベント記録装置１１について詳細に説明する。なお、イベント記録装置１１の基本的な構成は、イベント記録装置１とほぼ同じであり、同一の構成については同一の符号を付して、重複する説明を省略する。
【００４５】
（第２の最良の形態）
イベント記録装置１１は、図３に示すように、測定部２、イベント検出部３、制御部１４、時刻測定部５、上記の信号生成部１６、記録部７および操作部８を備え、入力信号Ｓ１にイベントが頻発する期間（頻発期間Ｔｒ）を特定する。この場合、信号生成部１６は、上記したように、１周期が所定時間Ｔｃのタイミング信号Ｓｔを連続して生成する。また、信号生成部１６は、所定時間Ｔｃは制御部１４によって設定され、生成したタイミング信号Ｓｔを制御部１４に出力する。
【００４６】
次に、イベント記録装置１１の動作について、図面を参照して説明する。一例として、入力信号Ｓ１に基準電圧を超えるピーク電圧のノイズ信号が重畳したときをイベントの発生として、このようなノイズ信号が頻繁に重畳する頻発期間Ｔｒを特定する例について説明する。
【００４７】
まず、操作部８を操作することによって所定時間Ｔｃを設定する。この際に、制御部１４は、操作部８から出力された所定時間Ｔｃを信号生成部１６に設定する。これにより、信号生成部１６は、１周期が所定時間Ｔｃのタイミング信号Ｓｔの連続生成を開始する。
【００４８】
次いで、入力信号Ｓ１の入力が開始された際には、このイベント記録装置１１では、イベント記録装置１と同様にして、測定部２がディジタルデータＶｓを連続して生成し、イベント検出部３がこのディジタルデータＶｓに基づいて、イベントの発生となるノイズ信号Ｓｎを検出し、このようなノイズ信号Ｓｎを検出したときには、検出信号Ｓａおよびピーク電圧値Ｖａを制御部１４に出力する。
【００４９】
制御部１４は、操作部８から操作信号Ｓｉを入力した際に、イベント記録処理を開始する。以下、具体的に、図４に示すようなノイズ信号Ｓｎが重畳した入力信号Ｓ１を入力したときのイベント記録処理について説明する。この場合、入力信号Ｓ１は、ノイズ信号Ｓｎ１〜Ｓｎ１０が時刻ｔ１〜ｔ１０において重畳し、かつ各ノイズ信号Ｓｎ１〜Ｓｎ１０の各ピーク電圧値Ｖａ１〜Ｖａ１０はすべて基準電圧を超える電圧であって、ピーク電圧値Ｖａ２が最大であるものとする。また、入力信号Ｓ１は、ノイズ信号Ｓｎ１を含むタイミング信号Ｓｔの１周期の直前の１周期内にノイズ信号を含んでいないものとする。また、ノイズ信号Ｓｎ１〜Ｓｎ８は、図４に示すタイミングで発生し、ノイズ信号Ｓｎ９は、ノイズ信号Ｓｎ８が発生するタイミング信号Ｓｔの１周期（Ｔｓ５）から２周期遅れた１周期（Ｔｓ７）内に発生するものとする。同様にして、ノイズ信号Ｓｎ１０は、ノイズ信号Ｓｎ９が発生するタイミング信号Ｓｔの１周期（Ｔｓ７）から２周期遅れた１周期（Ｔｓ９）内に発生するものとする。
【００５０】
まず、制御部１４は、信号生成部１６からタイミング信号Ｓｔを入力しつつ、タイミング信号Ｓｔの各１周期内におけるイベント検出部３からの検出信号Ｓａの入力の有無を連続して検出する。この場合、タイミング信号Ｓｔについての１周期内に検出信号Ｓａの入力を検出しないときには、制御部１４は、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを初期化する。
【００５１】
この状態において、タイミング信号Ｓｔの１周期（Ｔｓ１）内において時刻ｔ１に達した時点で、測定部２は、入力信号Ｓ１と共にノイズ信号Ｓｎ１を入力し、この入力に同期して入力信号Ｓ１およびノイズ信号Ｓｎ１についてのディジタルデータＶｓを出力する。イベント検出部３は、このディジタルデータＶｓに基づいてノイズ信号Ｓｎ１の重畳をイベントの発生として検出して、検出信号Ｓａおよびノイズ信号Ｓｎ１のピーク電圧値Ｖａ１を制御部１４に出力する。上記したように、入力信号Ｓ１は、ノイズ信号Ｓｎ１を含むタイミング信号Ｓｔの１周期Ｔｓ１の直前の１周期（図示せず）内にノイズ信号を含んでいないため、この直前の１周期において、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎは初期化されている。したがって、制御部１４は、イベント開始時刻Ｄｔｓの未取得の状態においてイベント検出部３から検出信号Ｓａを入力するため、ノイズ信号Ｓｎ１に基づく検出信号Ｓａの検出時の時刻情報Ｄｔ（＝時刻ｔ１）を時刻測定部５から取得して、この時刻情報Ｄｔを頻発期間Ｔｒの始期を示すイベント開始時刻Ｄｔｓとして内部メモリに記憶する。また、制御部１４は、イベント開始時刻Ｄｔｓを記憶したときには、このイベント開始時刻Ｄｔｓ（＝時刻ｔ１）に入力した検出信号Ｓａを１回目の検出信号Ｓａとして、検出信号Ｓａの入力回数をカウントし、この入力回数をイベント発生回数Ｎとして内部メモリに記憶する。また、制御部１４は、イベント検出部３から入力したノイズ信号Ｓｎ１についてのピーク電圧値Ｖａ１と内部メモリに記憶されている最大値Ｖａｍａｘとを比較して、いずれか大きい方の値で最大値Ｖａｍａｘを更新する。この場合、ピーク電圧値Ｖａの最大値Ｖａｍａｘは初期化によってゼロに設定されているため、ピーク電圧値Ｖａ１が最大値Ｖａｍａｘとして記憶される。
【００５２】
次いで、タイミング信号Ｓｔの１周期（Ｔｓ１）内において時刻ｔ２に達した時点で、測定部２は、入力信号Ｓ１と共にノイズ信号Ｓｎ２を入力し、この入力に同期して入力信号Ｓ１およびノイズ信号Ｓｎ２についてのディジタルデータＶｓを出力する。イベント検出部３は、このディジタルデータＶｓに基づいてノイズ信号Ｓｎ２の重畳をイベントの発生として検出して、検出信号Ｓａとノイズ信号Ｓｎ２のピーク電圧値Ｖａ２とを制御部１４に出力する。この場合、イベント開始時刻Ｄｔｓが既に取得されている状態において、タイミング信号Ｓｔにおける検出信号Ｓａ（ノイズ信号Ｓｎ１についての検出信号Ｓａ）を入力（検出）した１周期（Ｔｓ１）において他の検出信号Ｓａ（ノイズ信号Ｓｎ２についての検出信号Ｓａ）を入力したときには、制御部１４は、このノイズ信号Ｓｎ２についての検出信号Ｓａの検出時の時刻情報Ｄｔ（＝時刻ｔ２）を時刻測定部５から取得して、この時刻情報Ｄｔを頻発期間Ｔｒの終期を示すイベント終了時刻Ｄｔｅとして内部メモリに更新記憶する。また、制御部１４は、イベント終了時刻Ｄｔｅを記憶したときには、イベント発生回数Ｎをインクリメントして内部メモリに更新記憶する。また、制御部１４は、イベント検出部３から入力したノイズ信号Ｓｎ２についてのピーク電圧値Ｖａ２と内部メモリに記憶されているピーク電圧値Ｖａについての最大値Ｖａｍａｘとを比較して、いずれか大きい方の値で最大値Ｖａｍａｘを更新する。本例では、ピーク電圧値Ｖａ２が最大のため、ピーク電圧値Ｖａ２の値に最大値Ｖａｍａｘが更新される。
【００５３】
次いで、タイミング信号Ｓｔの１周期（Ｔｓ２）内において時刻ｔ３に達した時点で、測定部２は、入力信号Ｓ１と共にノイズ信号Ｓｎ３を入力し、この入力に同期して入力信号Ｓ１およびノイズ信号Ｓｎ３についてのディジタルデータＶｓを出力する。イベント検出部３は、このディジタルデータＶｓに基づいてノイズ信号Ｓｎ３の重畳をイベントの発生として検出して、検出信号Ｓａとノイズ信号Ｓｎ３のピーク電圧値Ｖａ３とを制御部１４に出力する。この場合、イベント開始時刻Ｄｔｓが既に取得されている状態において、タイミング信号Ｓｔにおける検出信号Ｓａ（ノイズ信号Ｓｎ１についての検出信号Ｓａ）を入力（検出）した１周期（Ｔｓ１）の次の１周期（Ｔｓ２）において他の検出信号Ｓａ（ノイズ信号Ｓｎ３についての検出信号Ｓａ）を入力したときにも、制御部１４は、このノイズ信号Ｓｎ３についての検出信号Ｓａの検出時の時刻情報Ｄｔ（＝時刻ｔ３）を時刻測定部５から取得して、この時刻情報Ｄｔを頻発期間Ｔｒの終期を示すイベント終了時刻Ｄｔｅとして内部メモリに更新記憶する。また、制御部１４は、同様にして、イベント発生回数Ｎをインクリメントして内部メモリに更新記憶し、また最大値Ｖａｍａｘに対する上記の更新記憶を実行する。
【００５４】
以後、各ノイズ信号Ｓｎ４〜ノイズ信号Ｓｎ８は、図４に示すように、タイミング信号Ｓｔの連続する各１周期（Ｔｓ３，Ｔｓ４，Ｔｓ５）内において発生する。このため、各ノイズ信号Ｓｎ４〜ノイズ信号Ｓｎ８に基づく各検出信号Ｓａは、直前の各ノイズ信号Ｓｎ３〜ノイズ信号Ｓｎ７についての検出信号Ｓａを制御部１４が入力した１周期と同じ周期か、または次の１周期において発生する。このため、時刻ｔ８に達した時点までは、制御部１４は、上記したノイズ信号Ｓｎ２，Ｓｎ３の入力のときと同様にして、検出信号Ｓａの入力を検出する都度、ノイズ信号Ｓｎ４〜ノイズ信号Ｓｎ８についての各検出信号Ｓａの検出時の時刻情報Ｄｔ（＝時刻ｔ４，・・・，ｔ８）を時刻測定部５から順次取得して、頻発期間Ｔｒの終期を示すイベント終了時刻Ｄｔｅ（＝時刻ｔ４，・・・，ｔ８）として内部メモリに更新記憶する。これにより、内部メモリに記憶されたイベント終了時刻Ｄｔｅは、ｔ４，・・・，ｔ８と順次更新される。また、制御部１４は、イベント発生回数Ｎをインクリメントして内部メモリに更新記憶する。また、制御部１４は、最大値Ｖａｍａｘに対する上記の更新記憶を実行する。これにより、時刻ｔ８に達した時点では、ノイズ信号Ｓｎ１〜ノイズ信号Ｓｎ８の発生回数と同じ値（＝８）がイベント発生回数Ｎとして記憶される。また、本例では、ピーク電圧値Ｖａ２が最大のため、ピーク電圧値Ｖａ２が最大値Ｖａｍａｘとして内部メモリに更新記憶される。
【００５５】
次いで、タイミング信号Ｓｔの１周期（Ｔｓ６）では、制御部１４は、ノイズ信号Ｓｎについての検出信号Ｓａをイベント検出部３から入力しない。したがって、制御部１４は、イベント開始時刻Ｄｔｓとイベント終了時刻Ｄｔｅとを取得している状態で、かつ検出信号Ｓａを入力したタイミング信号Ｓｔの１周期（Ｔｓ５）後の次の１周期（Ｔｓ６）において検出信号Ｓａを入力しないため、この１周期（Ｔｓ６）の終了直後（１周期（Ｔｓ７）の開始直後でもある）において、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを記録部７に記録すると共に、記録部７への記録後に、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを初期化する。
【００５６】
次いで、タイミング信号Ｓｔの１周期（Ｔｓ７）内において時刻ｔ９に達した時点で、測定部２は、入力信号Ｓ１と共にノイズ信号Ｓｎ９を入力し、この入力に同期して入力信号Ｓ１およびノイズ信号Ｓｎ９についてのディジタルデータＶｓを出力する。イベント検出部３は、このディジタルデータＶｓに基づいてノイズ信号Ｓｎ９の重畳をイベントの発生として検出して、検出信号Ｓａおよびノイズ信号Ｓｎ９のピーク電圧値Ｖａ９を制御部１４に出力する。この場合、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎは初期化されているため、制御部４は、イベント開始時刻Ｄｔｓの未取得の状態において検出信号Ｓａのイベント検出部３からの出力を検出することにより、ノイズ信号Ｓｎ１を入力したときと同様にして、ノイズ信号Ｓｎ９に基づく検出信号Ｓａの検出時の時刻情報Ｄｔ（＝時刻ｔ９）を時刻測定部５から取得して、この時刻情報Ｄｔを頻発期間Ｔｒの始期を示すイベント開始時刻Ｄｔｓとして内部メモリに記憶する。また、制御部１４は、イベント発生回数Ｎとして数値「１」を内部メモリに記憶する。また、制御部１４は、イベント検出部３から入力したノイズ信号Ｓｎ９についてのピーク電圧値Ｖａ９を最大値Ｖａｍａｘとして内部メモリに記憶する。
【００５７】
次いで、タイミング信号Ｓｔについての１周期（Ｔｓ８）が開始するが、この１周期中には、ノイズ信号Ｓｎは入力しない。したがって、制御部１４は、イベント開始時刻Ｄｔｓを取得しているが、イベント終了時刻Ｄｔｅは取得していない状態で、かつ検出信号Ｓａを入力したタイミング信号Ｓｔの１周期（Ｔｓ７）後の次の１周期（Ｔｓ８）において検出信号Ｓａを入力しないため、この１周期（Ｔｓ８）の終了直後（１周期（Ｔｓ９）の開始直後でもある）において、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを記録部７に記録すると共に、記録部７への記録後に、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを初期化する。
【００５８】
その後、イベント記録装置１１では、入力信号Ｓ１と共にノイズ信号Ｓｎを入力する都度、制御部１４が上記したイベント記録処理を繰り返し実行する。これにより、記録部７には、各頻発期間Ｔｒの始期を示すイベント開始時刻Ｄｔｓ、頻発期間Ｔｒの終期を示すイベント終了時刻Ｄｔｅ、各頻発期間Ｔｒにおけるイベント発生回数Ｎ、および各頻発期間Ｔｒにおけるピーク電圧値Ｖａの最大値Ｖａｍａｘのみが順次イベント情報として記憶される。したがって、記録部７に記憶されたイベント情報に基づき、入力信号Ｓ１に重畳したノイズ信号Ｓｎの頻発期間Ｔｒが容易に特定される。
【００５９】
このように、このイベント記録装置１１では、制御部１４が、信号生成部１６から出力されるタイミング信号Ｓｔの１周期内におけるイベント検出部３からの検出信号Ｓａの出力の有無を連続して検出すると共に、イベント開始時刻Ｄｔｓを取得していない状態においてタイミング信号Ｓｔにおける検出信号Ｓａの出力を検出しない１周期の次の１周期内において検出信号Ｓａの出力を検出したときには、この検出信号Ｓａの検出時の時刻情報Ｄｔをイベント開始時刻Ｄｔｓとして時刻測定部５から取得し、イベント開始時刻Ｄｔｓを取得している状態においてタイミング信号Ｓｔにおける検出信号Ｓａの出力を検出した１周期またはこの１周期の次の１周期において検出信号Ｓａの出力を検出したときには、この検出信号Ｓａの検出時の時刻情報Ｄｔをイベント終了時刻Ｄｔｅとして更新しつつ取得し、イベント開始時刻Ｄｔｓおよびイベント終了時刻Ｄｔｅを取得している状態においてタイミング信号Ｓｔにおける検出信号Ｓａの出力を検出した１周期の次の１周期において検出信号Ｓａの出力を検出しないときには、イベント開始時刻Ｄｔｓ、イベント終了時刻Ｄｔｅ、およびイベント開始時刻Ｄｔｓからイベント終了時刻Ｄｔｅまでの時間のうちの少なくとも２つをイベント情報として記録部７に記憶させる。したがって、このイベント記録装置１１では、発生するすべてのイベント（本例ではノイズ信号の重畳）の発生時刻を記録する構成とは異なり、イベントの頻発期間の１つを特定するためのイベント情報として、イベント開始時刻Ｄｔｓ、イベント終了時刻Ｄｔｅおよび両時刻Ｄｔｓ，Ｄｔｅの時間差Ｄｔｄのうちの少なくとも２つを記録部７に記録するだけでよい。このため、このイベント記録装置１１によれば、すべてのイベントについてのイベント情報を記録する従来のイベント記録装置と比較して、記録部７に必要とされる記録容量を大幅に削減することができる。この結果、イベント記録装置１と同様にして、記録部７のコストを低減できるため、装置コストも十分に低減することができる。また、このイベント記録装置１１によれば、記録部７に記録されているイベント開始時刻Ｄｔｓ、イベント終了時刻Ｄｔｅおよび両時刻Ｄｔｓ，Ｄｔｅの時間差Ｄｔｄのいずれか２つに基づいて、イベントの頻発期間Ｔｒを特定することができる。このため、従来のイベント記録装置とは異なり、外部記憶媒体に記録されているイベントの発生時刻をすべてサーチする作業を不要にできる結果、イベントの頻発期間を短時間で特定することができる。
【００６０】
なお、本発明は、上記した構成に限定されない。例えば、上記のイベント記録装置１１では、タイミング信号Ｓｔの連続する各１周期内にノイズ信号Ｓｎがそれぞれ重畳しているときに頻発期間Ｔｒが継続し、ノイズ信号Ｓｎが重畳されていないタイミング信号Ｓｔの１周期が到来したときに、頻発期間Ｔｒが終了する構成とした。この構成のイベント記録装置１１では、ノイズ信号Ｓｎの入力信号Ｓ１への重畳が頻発している頻発期間Ｔｒの途中の１周期においてノイズ信号Ｓｎが一時的に重畳されていないときには、このノイズ信号Ｓｎが重畳されていない１周期において頻発期間Ｔｒが分割される。しかしながら、ノイズ信号Ｓｎが重畳されていないこの１周期の次の１周期の開始直後からノイズ信号Ｓｎの重畳が発生するようなときには、このノイズ信号Ｓｎが重畳されていない１周期、この１周期の前の頻発期間Ｔｒ、およびこの１周期の後の頻発期間Ｔｒを全体として１つの頻発期間Ｔｒとして特定できるようにすることも望まれている。
【００６１】
（第３の最良の形態）
このようにして頻発期間Ｔｒを特定し得るイベント記録装置２１について、図３，５を参照して説明する。まず、イベント記録装置２１の構成について図３を用いて説明する。なお、イベント記録装置２１の基本的な構成は、イベント記録装置１１とほぼ同じため、同一の構成については同一の符号を付して重複する説明を省略する。
【００６２】
イベント記録装置２１は、図３に示すように、測定部２、イベント検出部３、制御部２４、時刻測定部５、信号生成部１６、記録部７および操作部８を備え、入力信号Ｓ１にイベントが頻発する期間（頻発期間Ｔｒ）を特定する。
【００６３】
次に、イベント記録装置２１の動作について、制御部２４の動作を中心として図面を参照して説明する。一例として、入力信号Ｓ１に基準電圧を超えるピーク電圧のノイズ信号が重畳したときをイベントの発生として、このようなノイズ信号が頻繁に重畳する頻発期間Ｔｒを特定する例について説明する。なお、ノイズ信号Ｓｎ１を検出するまでの動作はイベント記録装置１１と同一であるため、説明を省略する。
【００６４】
入力信号Ｓ１の入力が開始された際には、このイベント記録装置２１では、測定部２がディジタルデータＶｓを連続して生成し、イベント検出部３がこのディジタルデータＶｓに基づいて、イベントの発生となるノイズ信号Ｓｎを検出し、このようなノイズ信号Ｓｎを検出したときには、検出信号Ｓａおよびピーク電圧値Ｖａを制御部２４に出力する。
【００６５】
制御部２４は、操作部８から操作信号Ｓｉを入力したときに、イベント記録処理を開始する。以下、具体的に、図５に示すようなノイズ信号Ｓｎが重畳した入力信号Ｓ１を入力したときのイベント記録処理について説明する。この場合、入力信号Ｓ１は、ノイズ信号Ｓｎ１〜Ｓｎ９が時刻ｔ１〜ｔ９において重畳し、かつ各ノイズ信号Ｓｎ１〜Ｓｎ９の各ピーク電圧値Ｖａ１〜Ｖａ９はすべて基準電圧を超える電圧であって、ピーク電圧値Ｖａ２が最大であるものとする。この場合、内部メモリに記憶するピーク電圧値Ｖａの最大値Ｖａｍａｘの更新記録動作およびイベント発生回数Ｎの算出動作は、イベント記録装置１１と同一のため、最大値Ｖａｍａｘの更新記録動作についての説明を省略する。
【００６６】
まず、制御部２４は、信号生成部１６から入力したタイミング信号Ｓｔの各１周期内におけるイベント検出部３からの検出信号Ｓａの入力の有無を連続して検出する。この場合、タイミング信号Ｓｔについての１周期内に検出信号Ｓａの入力を検出しないときであって、かつこの次の１周期の開始から始まる付加期間Ｔｄ内に検出信号Ｓａの入力を検出しないときには、制御部２４は、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを初期化する。
【００６７】
この状態において、タイミング信号Ｓｔの１周期（Ｔｓ１）内において時刻ｔ１に達した時点で、制御部２４は、入力信号Ｓ１と共にノイズ信号Ｓｎ１を入力し、この入力に同期して入力信号Ｓ１およびノイズ信号Ｓｎ１についてのディジタルデータＶｓを出力する。イベント検出部３は、このディジタルデータＶｓに基づいてノイズ信号Ｓｎ１の重畳をイベントの発生として検出して、検出信号Ｓａおよびノイズ信号Ｓｎ１のピーク電圧値Ｖａ１を制御部２４に出力する。上記したように、入力信号Ｓ１は、ノイズ信号Ｓｎ１を含むタイミング信号Ｓｔの１周期Ｔｓ１の直前の１周期（図示せず）内にノイズ信号を含んでいない。このため、この直前の１周期において、制御部２４は、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを初期化する。したがって、制御部２４は、イベント開始時刻Ｄｔｓの未取得の状態において検出信号Ｓａを入力することにより、ノイズ信号Ｓｎ１に基づく検出信号Ｓａの検出時の時刻情報Ｄｔ（＝時刻ｔ１）を時刻測定部５から取得して、この時刻情報Ｄｔを頻発期間Ｔｒ１の始期を示すイベント開始時刻Ｄｔｓとして内部メモリに記憶する。
【００６８】
次いで、タイミング信号Ｓｔの１周期（Ｔｓ１）内において時刻ｔ２に達した時点で、測定部２は、入力信号Ｓ１と共にノイズ信号Ｓｎ２を入力し、この入力に同期して入力信号Ｓ１およびノイズ信号Ｓｎ２についてのディジタルデータＶｓを出力する。イベント検出部３は、このディジタルデータＶｓに基づいてノイズ信号Ｓｎ２の重畳をイベントの発生として検出して、検出信号Ｓａとノイズ信号Ｓｎ２のピーク電圧値Ｖａ２とを制御部２４に出力する。この場合、イベント開始時刻Ｄｔｓが既に取得されている状態において、タイミング信号Ｓｔにおける検出信号Ｓａ（ノイズ信号Ｓｎ１についての検出信号Ｓａ）の出力を検出した１周期（Ｔｓ１）またはこの１周期（Ｔｓ１）の次の１周期（Ｔｓ２）において他の検出信号Ｓａ（ノイズ信号Ｓｎ２についての検出信号Ｓａ）の出力を検出したときには、制御部２４は、このノイズ信号Ｓｎ２についての検出信号Ｓａの検出時の時刻情報Ｄｔ（＝時刻ｔ２）を時刻測定部５から取得して、この時刻情報Ｄｔを頻発期間Ｔｒ１の終期を示すイベント終了時刻Ｄｔｅとして内部メモリに更新記憶する。
【００６９】
次いで、タイミング信号Ｓｔの１周期（Ｔｓ２）では、測定部２は、ノイズ信号Ｓｎの重畳していない入力信号Ｓ１を入力する。この場合、制御部２４は、この１周期（Ｔｓ２）の直前の１周期（Ｔｓ１）においてノイズ信号Ｓｎ１についての検出信号Ｓａを検出してイベント開始時刻Ｄｔｓを時刻測定部５から取得しているため、タイミング信号Ｓｔの１周期（Ｔｓ２）、およびその後に続くタイミング信号Ｓｔの１周期（Ｔｓ３）の開始直後に、その１周期（Ｔｓ２）に連続させて付加された付加期間Ｔｄにおけるノイズ信号Ｓｎについての検出信号Ｓａのイベント検出部３からの出力を検出する。本例では、タイミング信号Ｓｔの１周期（Ｔｓ２）では、ノイズ信号Ｓｎについての検出信号Ｓａの出力は検出されない。
【００７０】
続いて、タイミング信号Ｓｔの１周期（Ｔｓ３）では、制御部２４は、その開始直後に付加された付加期間Ｔｄにおいて、ノイズ信号Ｓｎ３を入力しない。したがって、制御部２４は、タイミング信号Ｓｔの１周期（Ｔｓ２）もその１周期（Ｔｓ１）から開始した頻発期間Ｔｒ１の一部として、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎに対する初期化を実行しない。また、制御部２４は、このノイズ信号Ｓｎ３についての検出信号Ｓａの検出時の時刻情報Ｄｔ（＝時刻ｔ３）を時刻測定部５から取得して、この時刻情報Ｄｔを頻発期間Ｔｒ１の終期を示すイベント終了時刻Ｄｔｅとして内部メモリに更新記憶する。
【００７１】
以後、タイミング信号Ｓｔの各１周期（Ｔｓ３，Ｔｓ４，Ｔｓ５）では、制御部２４は、ノイズ信号Ｓｎ４，Ｓｎ５，Ｓｎ６，Ｓｎ７についての検出信号Ｓａを入力して、ノイズ信号Ｓｎ４〜ノイズ信号Ｓｎ７についての各検出信号Ｓａの検出時の時刻情報Ｄｔ（＝時刻ｔ４，ｔ５，・・・，ｔ７）を時刻測定部５から順次取得して、頻発期間Ｔｒ１の終期を示すイベント終了時刻Ｄｔｅ（＝時刻ｔ４，ｔ５，・・・，ｔ７）として内部メモリに更新記憶する。
【００７２】
次いで、タイミング信号Ｓｔの１周期（Ｔｓ６）では、制御部２４は、ノイズ信号Ｓｎについての検出信号Ｓａを入力しない。したがって、この１周期（Ｔｓ６）の直前の１周期（Ｔｓ５）まで、頻発期間Ｔｒ１が連続しており、かつ頻発期間Ｔｒ１の始期を示すイベント開始時刻Ｄｔｓおよびイベント終了時刻Ｄｔｅを取得しているため、タイミング信号Ｓｔの１周期（Ｔｓ６）に続くタイミング信号Ｓｔの１周期（Ｔｓ７）の開始直後にその１周期（Ｔｓ６）に連続させて付加された付加期間Ｔｄにおける検出信号Ｓａの有無を検出する。タイミング信号Ｓｔの１周期（Ｔｓ７）では、制御部２４は、時刻ｔ８において検出信号Ｓａを入力するものの、その１周期（Ｔｓ７）の開始直後に付加された付加期間Ｔｄにおいては、検出信号Ｓａを入力しない。したがって、制御部２４は、タイミング信号Ｓｔの１周期（Ｔｓ６）直後の付加期間Ｔｄの終了時点において、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを記録部７に記録すると共に、記録部７への記録後に、内部メモリに記憶されているイベント開始時刻Ｄｔｓ、イベント終了時刻Ｄｔｅ、ピーク電圧値Ｖａの最大値Ｖａｍａｘ、およびイベント発生回数Ｎを初期化する。
【００７３】
続いて、タイミング信号Ｓｔの１周期（Ｔｓ７）内において時刻ｔ８に達した時点で、制御部２４は、ノイズ信号Ｓｎ８についての検出信号Ｓａを入力する。この場合、制御部２４は、ノイズ信号Ｓｎ８に基づく検出信号Ｓａの検出時の時刻情報Ｄｔ（＝時刻ｔ８）を時刻測定部５から取得して、この時刻情報Ｄｔを頻発期間Ｔｒ２の始期を示すイベント開始時刻Ｄｔｓとして内部メモリに記憶する。その後のタイミング信号Ｓｔの１周期（Ｔｓ８）では、ノイズ信号Ｓｎについての検出信号Ｓａの出力は検出されないが、その後に続くタイミング信号Ｓｔの１周期（Ｔｓ９）の開始直後に、その１周期（Ｔｓ８）に連続させて付加された付加期間Ｔｄにおいて、ノイズ信号Ｓｎ９についての検出信号Ｓａのイベント検出部３からの出力を検出する。したがって、上記したタイミング信号Ｓｔの各１周期（Ｔｓ２，Ｔｓ３）のときと同様にして、時刻ｔ８から始まる頻発期間Ｔｒ２は、検出信号Ｓａが検出されていない１周期（Ｔｓ８）を含んでいたとしても連続した期間として記録部７に記憶される。
【００７４】
このように、このイベント記録装置２１では、制御部２４が、タイミング信号Ｓｔの１周期内における検出信号Ｓａの出力の有無を連続して検出すると共に、イベント開始時刻Ｄｔｓを取得していない状態においてタイミング信号Ｓｔにおける検出信号Ｓａの出力を検出しない１周期の次の１周期内において検出信号Ｓａの出力を検出したときには、検出信号Ｓａの検出時または次の１周期の始期の時刻をイベント終了時刻Ｄｔｅとして時刻測定部５から取得し、イベント開始時刻Ｄｔｓを取得している状態においてタイミング信号Ｓｔにおける検出信号Ｓａの出力を検出した１周期またはこの１周期の次の１周期において検出信号Ｓａの出力を検出したとき、またはこの次の１周期において検出信号Ｓａの出力を検出しないときにはこの次の１周期後の所定の付加期間において検出信号Ｓａの出力を検出したときには、検出信号Ｓａの検出時または次の１周期の終期の時刻をイベント終了時刻Ｄｔｅとして更新しつつ取得し、イベント開始時刻Ｄｔｓおよびイベント終了時刻Ｄｔｅを取得している状態においてタイミング信号Ｓｔにおける検出信号Ｓａの出力を検出した１周期の次の１周期およびこの次の１周期後の所定の付加期間Ｔｄにおいて検出信号Ｓａの出力を共に検出しないときには、イベント開始時刻Ｄｔｓ、イベント終了時刻Ｄｔｅ、およびイベント開始時刻Ｄｔｓからイベント終了時刻Ｄｔｅまでの時間のうちの少なくとも２つをイベント情報として記録部７に記憶させる。したがって、このイベント記録装置２１によれば、ノイズ信号Ｓｎの入力信号Ｓ１への重畳が頻発している頻発期間Ｔｒの途中の１周期においてノイズ信号Ｓｎが一時的に重畳されていないときにおいて、このノイズ信号Ｓｎが重畳されていないタイミング信号Ｓｔの１周期、この１周期の前のノイズ信号Ｓｎが重畳されているタイミング信号Ｓｔの１周期、およびこの１周期の後のノイズ信号Ｓｎが重畳されているタイミング信号Ｓｔの１周期を全体として１つの頻発期間Ｔｒとして特定することができる。
【００７５】
なお、本発明は、上記した構成に限定されない。例えば、上記のイベント記録装置１１，２１では、入力信号Ｓ１に重畳するノイズ信号Ｓｎを検出する単位期間を特定するために、設定された所定時間Ｔｃに基づいて、１周期が所定時間Ｔｃのタイミング信号Ｓｔを連続して生成する信号生成部１６を設けている。この場合、タイミング信号Ｓｔは、入力信号Ｓ１とは非同期の信号となる。一方、例えば、商用交流電圧（正弦波）のように、所定の波形パターンを所定周期で繰り返す信号を入力信号Ｓ１としているときには、入力信号Ｓ１に同期したタイミング信号Ｓｔを用いて、入力信号Ｓ１に重畳するノイズ信号Ｓｎを検出する構成を採用することもできる。このように構成されたイベント記録装置３１を図３に示す。このイベント記録装置３１は、イベント記録装置１１，２１に設けられた信号生成部１６に代えて、簡単なコンパレータと単安定マルチバイブレータとで構成されたゼロクロス検出回路を有して構成された信号生成部３６を備え、この信号生成部３６が、図３において破線で示すように、測定部２から入力したディジタルデータＶｓ（または直接入力した入力信号Ｓ１）に基づいて、図６に示すように、入力信号Ｓ１がゼロクロスするタイミングに同期してタイミング信号Ｓｔを出力する。なお、イベント記録装置３１のイベント記録動作は、イベント記録装置１１と同じため、説明を省略する。このイベント記録装置３１によれば、タイミング信号Ｓｔを生成するための信号生成部３６を簡易に構成することができ、装置コストを十分に低減することができる。また、頻発期間Ｔｒの開始時刻であるイベント開始時刻Ｄｔｓと、終了時刻であるイベント終了時刻Ｄｔｅとを、タイミング信号Ｓｔに同期させることにより、頻発期間Ｔｒの開始時刻と終了時刻とを入力信号Ｓ１の所定周期に同期させることもできる。
【００７６】
また、上記の各イベント記録装置１１，２１，３１では、頻発期間Ｔｒを特定するためのイベント開始時刻Ｄｔｓおよびイベント開始時刻Ｄｔｓは、イベントの発生時刻としてのノイズ信号Ｓｎの重畳時刻、具体的には、制御部１４，２４による検出信号Ｓａの入力時刻としているが、タイミング信号Ｓｔの各周期（Ｔｓ１，Ｔｓ２，・・・）において、各周期の始期を内部メモリに記憶させておくことにより、タイミング信号Ｓｔの各周期の始期および終期を、頻発期間Ｔｒを特定するためのイベント開始時刻Ｄｔｓおよびイベント開始時刻Ｄｔｓとすることもできる。
【００７７】
また、上記の各イベント記録装置１，１１，２１，３１において、各制御部４，１４，２４が頻発期間ＴｒのディジタルデータＶｓをメモリ等に記憶させることにより、その頻発期間Ｔｒ内の入力信号Ｓ１の波形を表示部等に再現する構成を採用することもできる。
【図面の簡単な説明】
【００７８】
【図１】イベント記録装置１の構成を示す構成図である。
【図２】イベント記録装置１の動作を説明するためのタイミングチャートである。
【図３】イベント記録装置１１，２１，３１の構成を示す構成図である。
【図４】イベント記録装置１１の動作を説明するためのタイミングチャートである。
【図５】イベント記録装置２１の動作を説明するためのタイミングチャートである。
【図６】イベント記録装置３１の動作を説明するためのタイミングチャートである。
【符号の説明】
【００７９】
１，１１，２１，３１  イベント記録装置
３  イベント検出部
４，１４，２４  制御部
５  時刻測定部
６  時間計測部
７  記録部
１６，３６  信号生成部
Ｄｔｓ  イベント開始時刻
Ｄｔｅ  イベント終了時刻
Ｎ  イベント発生回数
Ｔｃ  所定時間
Ｔｒ  頻発期間
Ｖａ  ピーク電圧値
【図１】
2006090869.tif 000003
【図２】
2006090869.tif 000004
【図３】
2006090869.tif 000005
【図４】
2006090869.tif 000006
【図５】
2006090869.tif 000007
【図６】
2006090869.tif 000008